(57)【要約】自動食器洗い洗剤組成物は、（ａ）封入されたガラスケア活性塩と；（ｂ）少なくとも１つの洗剤成分と；（ｃ）任意に少なくとも１つの補助剤材料と；（ｄ）残部の水とを含む。【特許請求の範囲】
【請求項１】
自動食器洗い洗剤組成物であって：
ａ）前記組成物の０．０１重量％〜７０重量％のガラスケア活性塩と；
ｂ）少なくとも１つの洗剤成分と；
ｃ）任意に少なくとも１つの補助剤材料と；
ｄ）残部の水と；
を含むことを特徴とし、ここで前記組成物が、液体、液体ゲル、ゲル、ペースト、クリーム、又はこれらの混合物の形態であり；ここで前記ガラスケア活性塩が、少なくとも１つの封入コーティングを前記ガラスケア活性塩に与える少なくとも１つの封入剤を介して封入される組成物。
【請求項２】
前記ガラスケア活性塩が、コア粒子、コア粒子の集合体、プリル、粒塊、及びこれらの混合物の形態であり、非破砕性、水溶性若しくは水分散性であり、又は４０℃〜５０℃の温度範囲で溶解、分散、若しくは融解する、請求項１に記載の組成物。
【請求項３】
前記ガラスケア活性塩の洗浄液及び／又はすすぎ液への放出が、前記少なくとも１つの封入コーティングの溶解又は崩壊によって誘引される、請求項１又は２に記載の組成物。
【請求項４】
前記液体組成物が、０．１ｍＭ〜１０ｍＭの前記ガラスケア活性塩又は錯体を、前記洗浄液及び／又はすすぎ液に送達する、請求項１〜３のいずれか１項に記載の組成物。
【請求項５】
前記ガラスケア活性塩が、アルミニウム、亜鉛、マグネシウム、カルシウム、ランタン、スズ、ガリウム、ストロンチウム、チタン、又はこれらの組み合わせのうち少なくとも１つを含む、請求項１〜４のいずれか１項に記載の組成物。
【請求項６】
前記ガラスケア活性塩が、水溶性アルミニウム塩、非水溶性アルミニウム塩、わずかに水溶性のアルミニウム塩、水溶性亜鉛塩、非水溶性亜鉛、わずかに水溶性の亜鉛塩、水溶性マグネシウム塩、非水溶性マグネシウム塩、わずかに水溶性のマグネシウム塩、水溶性カルシウム塩、非水溶性カルシウム塩、わすかに水溶性のカルシウム塩、又はこれらの混合物のうち少なくとも１つを含む、請求項１〜５のいずれか１項に記載の組成物。
【請求項７】
前記少なくとも１つの洗剤成分が、アルカリ性源、ビルダー、界面活性剤、泡抑制剤、酵素、増粘剤、漂白系、補助剤材料、又はこれらの混合物のうち少なくとも１つを含む、請求項１〜６のいずれか１項に記載の組成物。
【請求項８】
前記漂白系が、塩素漂白剤、酸素漂白剤、及びこれらの混合物のうち少なくとも１つを含む漂白剤、有機過酸漂白剤前駆体、遷移金属含有漂白触媒、漂白活性化剤、又はこれらの混合物のうち少なくとも１つを含む、請求項７に記載の組成物。
【請求項９】
前記少なくとも１つの封入コーティングの溶解又は崩壊が、時間、温度、硬度、界面張力、ｐＨ感応性、機械的作用、イオン強度、希釈、又はこれらの組み合わせのうち少なくとも１つを介して誘引される放出機構によって生じる、請求項１〜８のいずれか１項に記載の組成物。
【請求項１０】
前記少なくとも１つの封入剤が、脂肪酸、ポリビニルアルコール、ポリエチレングリコール、ビルダー、水溶性セルロース及び／又はセルロースエーテル、ポリマー、ポリマーラテックス；ポリカルボキシレート材料、エチレンビニルアセテート、ポリビニルアルコール、融点５０℃〜６５℃のポリエチレンワックス、天然ワックス、４０℃〜９４℃の融点を有するパラフィン又は微晶性ワックス、流動パラフィンワックス、アルコールワックス、合成樹脂、シリコーンオイル、ワセリン（石油ゼリー）、無機コーティング、又はこれらの混合物のうち少なくとも１つを含む、請求項１〜９のいずれか１項に記載の組成物。
【請求項１１】
前記少なくとも１つの封入剤が、ポリマー、ポリマーラテックス、ポリカルボキシレート材料、エチレンビニルアセテート、ポリビニルアルコール、又はこれらの混合物のうち少なくとも１つを含む、請求項１０に記載の組成物。
【請求項１２】
前記ポリマーが、天然ゴム、ペクチン、セルロースエーテル、ＰＶＡ、又はこれらの混合物のうち少なくとも１つを含む、請求項１１に記載の組成物。
【請求項１３】
前記封入コーティングが、低臨界溶液温度ポリマーを実質的に含まず、前記少なくとも１つの封入剤が、非低臨界溶液ポリマー、ポリマーラテックス、ポリカルボキシレート材料、エチレンビニルアセテート、ポリビニルアルコール、及びこれらの混合物のうち少なくとも１つを含む、請求項１〜１２のいずれか１項に記載の組成物。
【請求項１４】
前記封入コーティングが、アルキル化及び／又はヒドロキシアルキル化多糖類、セルロースエーテル、ポリイソプロピルアクリルアミン（polyisoproplylacrylamine）、ポリイソプロピルアクリルアミドのコポリマー、及びこれらの混合物を実質的に含まない非低臨界溶液ポリマーである、請求項１〜１３のいずれか１項に記載の組成物。
【請求項１５】
前記組成物が、前記自動食器洗い器具の洗浄サイクル及び／又はすすぎサイクルの間に、前記封入されたガラスケア活性塩の制御された放出を可能にする単回用量の形態であり；ここで前記単回用量が、単一又は複数区画の水溶性袋として提供される、請求項１〜１４のいずれか１項に記載の組成物。
【請求項１６】
ガラス製品を洗浄及び保護する方法であって、自動食器洗い機において前記ガラス製品を、請求項１〜１５のいずれか１項に記載の自動食器洗い洗剤組成物を用いて洗浄する工程を含むことを特徴とする方法。
【請求項１７】
汚れたガラス製品を洗浄する方法であって：
（ａ）アルミニウム、亜鉛、マグネシウム、カルシウム、ランタン、スズ、ガリウム、ストロンチウム、チタン、及びこれらの組み合わせを含む封入されたガラスケア活性塩と；
（ｂ）アルカリ性源、ビルダー、界面活性剤、泡抑制剤、酵素、増粘剤、漂白系、溶媒、湿潤剤、及びこれらの混合物を含む少なくとも１つの洗剤成分と；
（ｃ）ナトリウム系抗腐食剤、向水性物質（ヒドロトロープ）、崩壊剤、着色剤、再付着防止剤、フリーラジカル阻害物質、ポリマー、汚れ放出剤、被膜形成防止剤、染み付き防止剤（anti-spotting agents）、向水性物質（ヒドロトロープ）、殺菌剤、殺真菌剤、漂白スカベンジャー、一般的な食器ケア剤、及びこれらの混合物を含む補助剤材料と；
（ｄ）残部の水と
を含む自動食器洗い洗剤組成物を用いて、自動食器洗い機にて前記ガラス製品を洗浄する工程を含むことを特徴とし；前記組成物が、液体、液体ゲル、ゲル、ペースト、クリーム、及びこれらの混合物の形態である方法。
【請求項１８】
ガラス製品を洗浄及び保護する方法であって：
（ａ）アルミニウム、亜鉛、マグネシウム、カルシウム、ランタン、スズ、ガリウム、ストロンチウム、チタン、及びこれらの組み合わせを含む封入されたガラスケア活性塩と；
（ｂ）アルカリ性源、ビルダー、界面活性剤、泡抑制剤、酵素、増粘剤、漂白系、溶媒、湿潤剤、及びこれらの混合物を含む少なくとも１つの洗剤成分と；
（ｃ）ナトリウム系抗腐食剤、向水性物質（ヒドロトロープ）、崩壊剤、着色剤、再付着防止剤、フリーラジカル阻害物質、ポリマー、汚れ放出剤、被膜形成防止剤、染み付き防止剤、向水性物質（ヒドロトロープ）、殺菌剤、殺真菌剤、漂白スカベンジャー、一般的な食器ケア剤、及びこれらの混合物を含む補助剤材料と；
（ｄ）残部の水と
を含む自動食器洗い洗剤組成物を用いて、自動食器洗い機にて前記ガラス製品を洗浄する工程を含むことを特徴とし；ここで前記組成物が、顆粒状固体、粉末、及びこれらの混合物の形態であり；ここで前記ガラスケア活性塩が、少なくとも１つの封入コーティングを前記ガラスケア活性塩に与える少なくとも１つの封入剤によって封入され；ここで前記封入コーティングが、低臨界溶液温度ポリマーを実質的に含まない方法。
【請求項１９】
（ａ）包装と；
（ｂ）使用説明書と；
（ｃ）（ｉ）アルミニウム、亜鉛、マグネシウム、カルシウム、ランタン、スズ、ガリウム、ストロンチウム、チタン、及びこれらの組み合わせを含む封入されたガラスケア活性塩；
（ｉｉ）アルカリ性源、ビルダー、界面活性剤、酵素、増粘剤、漂白系、溶媒、湿潤剤、及びこれらの混合物を含む少なくとも１つの洗剤成分；
（ｉｉｉ）任意に補助剤材料；並びに
（ｉｖ）残部の水と
を含む自動食器洗い洗剤組成物と
を含むことを特徴とするキットであって、ここで前記組成物が、洗浄サイクル及び／又はすすぎサイクルに０．１ｍＭ〜１０ｍＭの前記ガラスケア活性塩又は錯体を送達し；ここで前記組成物が、顆粒状固体、粉末、液体、液体ゲル、ゲル、及びこれらの混合物であり；ここで前記組成物が任意に、錠剤として提供されるか又は単一若しくは複数区画の水溶性袋に含有され；ここで前記組成物が顆粒状固体又は粉末である場合、前記固体組成物が、低臨界溶液温度ポリマーを実質的に含まないキット。
【発明の詳細な説明】
【技術分野】
【０００１】
本発明は食器洗いの分野であり、特にガラス製品を洗浄及び保護するのに好適な食器洗い及び自動食器洗い製品、補助剤、及び方法に関する。
【背景技術】
【０００２】
自動食器洗い洗剤は、一般に認識される区別可能な分類の洗剤組成物を構成し、それら組成物の目的には、食品汚れを破壊及び除去すること；発泡性を抑制すること；視覚的に観測可能な染み付き及び被膜形成を最小限又は排除するために洗浄物品の濡れを促進すること；コーヒー及び紅茶のような飲料又はカロチノイド汚れのような野菜の汚れによって生じ得るような染みを除去すること；洗浄品表面への汚れ被膜の蓄積を抑制すること；並びに実質的にエッチング又は腐食することなく、ないしは別の方法でガラス類又は食器の表面を損傷することなく、皿類の曇りを低減又は排除することが含まれる。
【０００３】
自動食器洗い器具の洗浄サイクル中でのガラス製品の腐食の問題は、長い間知られている。現在の見解では、ガラス製品の腐食の問題は２つの別々の現象によるものであるとされている。一方において、腐食は、明らかに、ケイ酸塩網状組織の加水分解に付随して起こるガラス組成物からの鉱物によるものである。他方では、ケイ酸塩物質がガラスから放出される。自動食器洗い器具における数回の洗浄の後、両方の現象によって、曇り、傷、及び筋のようなガラス製品への損傷が生じ得る。
【０００４】
ガラス製品のケイ酸塩網状組織の溶解性は、９．５未満のｐＨ値では非常に低いことが知られており、ｐＨが上昇するにつれて増大する。施設及び家庭の自動食器洗い組成物では、強いアルカリ性溶液が生成され、食器、ガラス製品、及びその他の調理及び飲食器具を洗浄するのに使用される。通常の水道水は、こうした強いアルカリ性洗浄溶液を調製する際、また洗浄工程の後に洗浄物品をすすぐために使用され得る。しかし、欧州及び北米の一部（すなわち、軟水化装置のユーザー）の用途では、この水道水は、カルシウム及びマグネシウムのような硬いイオンを除去するために処理（軟化）されることが多く、結果として洗浄品上の硬水残留物が少なくなる。
【０００５】
施設及び家庭の自動食器洗い組成物の性能における残念な欠点は、リン酸化される組成物（すなわち、無機リン酸塩のビルダー塩を含有する）及びリン酸化されない組成物の両方において、それらが特にガラス類及び皿類を攻撃する傾向にあることである。さらに、高いアルカリ性及び高濃度のビルダーが、ガラス製品の腐食作用を増大させる。そのため、ガラス製品の腐食の問題をさらに低減する上述の効果を与える代替の自動食器洗い組成物を開発することが必要とされ続けている。
【０００６】
ガラス製品の腐食を低減する手法の１つは、ケイ酸塩を含む自動食器洗い組成物を提供することである。１つの手法では、二ケイ酸塩及びメタケイ酸塩の混合物を含む自動食器洗い組成物を提供することである。別の手法では、アルカリ金属二ケイ酸塩及びアルカリ金属シリコネート（siliconate）の縮合重合によって得られる有機鉱物シリコネート（organomineral siliconate）のコポリマーのような添加剤を自動食器洗い組成物に提供することである。別の手法では、対イオンとして、カルシウム、マグネシウム、ストロンチウム又はセリウムで部分的に置換されたアルカリ金属ケイ酸塩を含む自動食器洗い組成物を提供することである。しかし、食器洗い腐食を避けるために、特定のケイ酸塩又は変性ケイ酸塩を含む自動食器洗い組成物には、これらの溶液を適用可能な配合物の種類が限られている。特に、ガラス製品の腐食は、ケイ酸塩の低い安定性のためにその使用が制限されるような、低アルカリ性の組成物ではかなり激しいことがある。
【０００７】
最近の別の手法では、金属塩、特にアルミニウムを使用することであり、ここで金属塩は、隔離されて金属塩隔離剤錯体、例えばアルミニウム（ＩＩＩ）隔離剤錯体を形成する。１つの例では、遅い溶解性アルミニウム塩が隔離されて、アルミニウム（ＩＩＩ）隔離剤錯体を形成し、それがケイ酸塩の非存在下で自動洗剤組成物にプレミックスとして添加される。こうした特定の塩は特定の速度で溶解するので、有用なアルミニウム（ＩＩＩ）種の選択がかなり制限される。こうした手法の別の例は、アルミニウム／隔離剤プレミックスを形成するために特定ｐＫａ及びｐＨの選択を必要とする。しかし、こうしたアルミニウム／隔離剤プレミックスの配合物の実用性は制限される。別の例では、アルミニウム／隔離剤プレミックスは、洗剤組成物を形成するプロセスに追加の工程として加えられなければならないので、その商業用途での費用が増すことになる。別の手法では、速い溶解性アルミニウム塩が使用されるが、腐食は特にケイ酸塩を含まないアルカリ性自動食器洗い組成物にて生じるので、腐食を回避するためには、高アルカリ性製品にて約１０重量％を超えるケイ酸塩と組み合わせなければならない。しかし、隔離プロセスは、複数のプロセス工程で構成され、ｐＨの正確な調整を必要とするので複雑であり、アルミニウム／隔離剤錯体は、組成物の１％水溶液のｐＨが９である洗剤組成物に制限される。
【０００８】
ガラス製品の腐食を低減するのにコスト的に有効で、簡便な手法は、ガラスケア活性塩、例えば硫酸アルミニウムのようなアルミニウム塩を自動食器洗い組成物に提供することである。しかし、この手法にはいくつかの欠点がある。例えば、ゲル洗剤において可溶性（又はわずかに可溶性）のガラスケア活性塩は、ゲル製品の凝集を生じ、それがまた特定の洗剤においては相分離を引き起こすこともある。これらの塩はまた、洗浄サイクルの間に漂白剤の邪魔をすることによって、茶、染みに関する洗浄性能を低減することがある。
【０００９】
上記で開示された欠点を克服するための１つの方法は、封入によるものである。種々の材料及び方法が、粒子をコーティングするために使用できる。しかし、大部分の封入の試みは、漂白剤及び酵素封入を対象としてきた。特に漂白剤及び酵素粒子は、脂肪酸、ポリビニルアルコール又はポリエチレングリコールで単一コーティングされ得るか、又は４０℃〜９４℃の融点を有するパラフィン若しくは微晶性ワックスの内部コーティングと炭酸ナトリウムのような材料の第２のコーティングとを用いて二重コーティングされ得る。あるいは、二重コーティングされた封入漂白剤及び酵素粒子は、脂肪酸又はワックスの内部コーティング及び水溶性セルロースエーテルの外部コーティングを有していてもよい。漂白剤及び酵素粒子のための他の封入コーティングとしては、ポリマーラテックス；ポリカルボキシレート材料；５０℃〜６５℃の融点を有するポリエチレンワックス；及び種々のその他のワックスが挙げられる。漂白剤及び酵素粒子はまた、エチレンビニルアセテート、脂肪酸、天然ワックス、合成樹脂又は無機コーティングでコーティングされてもよい。例えば、漂白剤及び酵素粒子は、シリコーンオイル、ワセリン（石油ゼリー）又はアルコールワックスでコーティングされてもよい。洗浄組成物に使用される一部の前駆体粒子も、流動パラフィンワックス及びポリビニルアルコールで封入されてきた。
【発明の開示】
【発明が解決しようとする課題】
【００１０】
驚くべきことに、特定のガラスケア活性塩を洗剤組成物中での溶解（又はそれらとの反応）から保護することによって、自動食器洗い器具の洗浄サイクル及び／又はすすぎサイクルの間に、良好なガラス製品腐食保護が達成できることを見出した。ゲルの凝集のような欠点を避けることができ、ガラスケア活性塩と洗剤成分との相互作用が、封入されたガラスケア活性塩を使用することによって液体、粉末及び錠剤にて、最小限にできる。封入されたガラスケア活性塩の放出は、使用される封入コーティングの種類によって遅延したり、順序付けることができる。故に、洗剤組成物においてガラスケア活性塩の放出を封入により順序付け及び／又は遅延させることによって、酸素漂白剤のような漂白剤は、ガラスケア活性塩が染みと反応する前に茶染みを除去するのに使用されることができる。
【課題を解決するための手段】
【００１１】
（ａ）組成物の約０．０１重量％〜約７０重量％のガラスケア活性塩と；（ｂ）少なくとも１つの洗剤成分と；（ｃ）任意に少なくとも１つの補助剤材料と；（ｄ）残部の水とを含む自動食器洗い洗剤組成物が開示される。ガラスケア活性塩は、ガラスケア活性塩に少なくとも１つの封入コーティングを与える少なくとも１つの封入剤によって封入される。自動食器洗い洗剤組成物は、いずれの形態であってもよく、その形態としては、液体、液体ゲル、ゲル、ペースト、クリーム、顆粒状固体、粉末、又はこれらの組み合わせが挙げられるが、これらに限定されない。一部の実施形態では、ガラス製品を腐食及び退色から保護する。自動食器洗い洗剤組成物と方法及びキットとの組み合わせも本明細書で開示される。
【発明を実施するための最良の形態】
【００１２】
（ガラスケア活性塩）
本明細書では、アルミニウム、亜鉛、マグネシウム、カルシウム、ランタン、スズ、ガリウム、ストロンチウム、チタン、又はこれらの混合物のうち少なくとも１つを含む封入されたガラスケア活性塩（以降、「ＥＧＡＳ組成物」）を含む自動食器洗い洗剤組成物が開示される。本明細書では、都合の良い水溶性又は非水溶性ガラスケア活性塩が使用できる。ガラスケア活性塩は、コア粒子、コア粒子の集合体、プリル、粒塊、又はこれらの組み合わせの形態であってもよい。これらの形態は、処理の間に、そして消費者によって使用されるときに、取り扱いに関して非破砕性であってもよい。それらはまた、水溶性若しくは水分散性であってもよく、又は約４０℃〜約５０℃の温度範囲で、溶解、分散若しくは融解してもよい。
【００１３】
ガラスケア活性塩は、一般に、いずれかの好適な量でＥＧＡＳ組成物に導入されてもよい。一部の実施形態では、ＥＧＡＳ組成物は、洗浄液及び／又はすすぎ液に約０．１ｍＭ〜約１０ｍＭ、約０．５ｍＭ〜約５ｍＭ、又は約１ｍＭ〜２ｍＭのガラスケア活性塩又は錯体を送達してもよい。一部の実施形態では、ガラス製品の保護効果を達成するガラスケア活性塩の濃度は、組成物の約０．０１重量％〜約７０重量％の量であってもよい。
【００１４】
１つの非限定実施形態では、ＥＧＡＳ組成物は、水溶性アルミニウム塩、非水溶性アルミニウム塩、わずかに水溶性のアルミニウム塩、又はこれらの混合物を含む封入されたアルミニウム塩を含んでもよい。
水溶性アルミニウム塩としては、アルミニウムアセテート、硫酸アンモニウムアルミニウム、塩素酸アルミニウム、塩化アルミニウム、塩化アルミニウム水和物、アルミニウムクロロハイドレート、アルミニウムジホーメート、アルミニウムホルムアセテート（formoacetate）、アルミニウムモノステアレート、アルミニウムラクテート、硝酸アルミニウム、硫酸ナトリウムアルミニウム、硫酸アルミニウム、アルミニウムステアレート、アルミニウムタータラート、アルミニウムトルホーメート、及びこれらの混合物が挙げられるが、これらに限定されない。非水溶性又はわずかに水溶性のアルミニウム塩としては、アルミニウムアセチルアセトネート、臭化アルミニウム、アルミニウム−ｎ−ブトキシド、フッ化アルミニウム、フッ化ケイ酸アルミニウム、アルミニウムオキシレート、酸化アルミニウム、リン酸アルミニウム、アルミニウムサリチラート、及びこれらの混合物が挙げられる。「遅い溶解性」アルミニウム塩という用語は、４２℃で１分あたり０．５６ｍＭ未満のアルミニウム（ＩＩＩ）を生成する速度で溶解するアルミニウム塩のことを指す。遅い溶解性アルミニウム塩としては、アルミニウムステアレート、アルミニウムタータラート、アルミニウムアセテート、アルミニウムアセトターターラート、アルミニウムサリチラート、アルミニウムビス（アセチルサリチラート）、アルミニウムホーメート、アルミニウムオクトエート（octoate）、アルミニウムボレート、アルミニウムオレエート、アルミニウムパルミテート、アルミニウムアセチルアセトネート、リン酸アルミニウム、及びこれらの混合物が挙げられるが、これらに限定されない。
【００１５】
別の非限定実施形態では、ＥＧＡＳ組成物は、水溶性亜鉛塩、非水溶性亜鉛塩、わずかに水溶性の亜鉛塩、又はこれらの混合物を含む封入された亜鉛塩を含んでもよい。
水溶性亜鉛塩としては、臭素酸亜鉛、臭化亜鉛、塩化亜鉛、亜鉛クロロイオダイド（chloroiodide）、亜鉛ホーメート、亜鉛グルコネート、亜鉛ヒドロサルファイト、ヨウ化亜鉛、リンゴ酸亜鉛、過マンガン酸亜鉛、硫酸亜鉛、硫酸亜鉛一水和物、スルファミン酸亜鉛、亜鉛チオシアネート、及びこれらの混合物が挙げられるが、これらに限定されない。より水溶性でない亜鉛塩としては、亜鉛バシトラシン、ホウ酸亜鉛、炭酸亜鉛、塩基性炭酸亜鉛（近似的にＺｎ２（ＯＨ）２ＣＯ３）、フッ化亜鉛、亜鉛フルオロシリケート、水酸化亜鉛、亜鉛ラウレート、亜鉛モノホスフェート（Ｚｎ３（ＰＯ４）２）、亜鉛オキザラート、酸化亜鉛、過ホウ酸亜鉛、過酸化亜鉛、リン酸亜鉛、ピロリン酸亜鉛（Ｚｎ２（Ｐ２Ｏ７））、亜鉛レジネート、ケイ酸亜鉛、ステアリン酸亜鉛、硫化亜鉛、ケイ酸ジルコニウム亜鉛、及びこれらの混合物が挙げられるが、これらに限定されない。
【００１６】
別の非限定実施形態では、ＥＧＡＳ組成物は、水溶性マグネシウム塩、非水溶性マグネシウム塩、わずかに水溶性のマグネシウム塩、又はこれらの混合物を含む封入されたマグネシウム塩を含んでもよい。
水溶性マグネシウム塩としては、マグネシウムアセテート、マグネシウムアセチルアセトネート、リン酸アンモニウムマグネシウム、マグネシウムベンゾエート、マグネシウムビホスフェート（biophosphate）、マグネシウムボレート、マグネシウムボロシトレート、臭素酸マグネシウム、臭化マグネシウム、塩化カルシウムマグネシウム、塩素酸マグネシウム、塩化マグネシウム、マグネシウムシトレート、マグネシウムジクロメート、フッ化ケイ酸マグネシウム、マグネシウムホーメート、マグネシウムグルコネート、グリセロリン酸マグネシウム、マグネシウムラウリルサルフェート、硝酸マグネシウム、過塩素酸マグネシウム、過マンガン酸マグネシウム、マグネシウムサリチラート、スズ酸マグネシウム、スズ化マグネシウム、硫酸マグネシウム、及びこれらの混合物が挙げられるが、これらに限定されない。より水溶性でないマグネシウム塩としては、炭酸マグネシウム、マグネシウムクロメート、フッ化マグネシウム、マグネシウムオレエート、マグネシウムパルミテート、過ホウ酸マグネシウム、リン酸マグネシウム、マグネシウムピロホスフェート、マグネシウムシリケート、マグネシウムステアレート、硫化マグネシウム、マグネシウムトリシリケート、タングステン酸マグネシウム、ケイ酸ジルコニウムマグネシウム、及びこれらの混合物が挙げられるが、これらに限定されない。
【００１７】
別の非限定実施形態では、ＥＧＡＳ組成物は、水溶性カルシウム塩、非水溶性カルシウム塩、わずかに水溶性のカルシウム塩、又はこれらの混合物を含む封入されたカルシウム塩を含んでもよい。
水溶性カルシウム塩としては、カルシウムアセテート、カルシウムアセチルサリチレート、カルシウムアクリレート、カルシウムアスコルベート、カルシウムボレート、臭素酸カルシウム、臭化カルシウム、塩素酸カルシウム、塩化カルシウム、カルシウムシクラメート、カルシウムデヒドロアセテート、カルシウムジクロメート、エデト酸カルシウムニナトリウム、カルシウムエチルヘキソエート、カルシウムホーメート、カルシウムグルコネート、ヨウ素酸カルシウム、亜硝酸カルシウム、パントテン酸カルシウム、過ホウ酸カルシウム、過塩素酸カルシウム、過マンガン酸カルシウム、カルシウムプロピオネート、カルシウムタータラート（tartate）、及びカルシウムチオシアネート（thiocynnate）、並びにこれらの混合物が挙げられるが、これらに限定されない。より水溶性でないカルシウム塩としては、カルシウムアルギネート、カルシウムビホスフェート（biophosphate）、炭酸カルシウム、カルシウムクロメート、カルシウムシトレート、フッ化カルシウム、グリセロリン酸カルシウム、カルシウムヨードベヘネート（iodobehenate）、カルシウムヨードベヘネート、メタケイ酸カルシウム、カルシウムオレエート、カルシウムオキザラート、カルシウムパルミテート、リン酸カルシウム、カルシウムホスファイト、フィチン酸カルシウム、カルシウムピロホスフェート、カルシウムレジネート、カルシウムシリケート、カルシウムソルベート、カルシウムステアレート、カルシウムステアリラクチレート（steary lactyalate）、硫酸カルシウム、硫化カルシウム、チオグリコール酸カルシウム、タングステン酸カルシウム、ケイ酸ジルコニウムカルシウム、及びこれらの混合物が挙げられるが、これらに限定されない。
あるいは、ランタン、スズ、ガリウム、ストロンチウム、チタン、及びこれらの組み合わせを含む水溶性又は非水溶性塩を使用してもよい。
【００１８】
（封入剤）
本明細書に開示される封入剤は、ガラスケア活性塩のコア粒子、コア粒子の集合体、プリル、粒塊、及びこれらの混合物に、いずれかの好適な厚さで少なくとも１つの封入コーティングを与えることができる。少なくとも１つの封入コーティングは、いずれかの好適な厚さで、単一コーティング、複コーティング、及びこれらの組み合わせを含んでもよい。封入剤としては、脂肪酸、ポリビニルアルコール、ポリエチレングリコール、ビルダー、水溶性セルロース及び／又はセルロースエーテル、ポリマー、ポリマーラテックス；ポリカルボキシレート材料、エチレンビニルアセテート、ポリビニルアルコール、融点５０℃〜６５℃のポリエチレンワックス、天然ワックス、４０℃〜９４℃の融点を有するパラフィン又は微晶性ワックス、流動パラフィンワックス、アルコールワックス、合成樹脂、シリコーンオイル、ワセリン（石油ゼリー）、無機コーティング、又はこれらの混合物が挙げられるが、これらに限定されない。
【００１９】
１つの非限定実施形態では、少なくとも１つの封入剤は、ポリマー、ポリマーラテックス、ポリカルボキシレート材料、エチレンビニルアセテート、ポリビニルアルコール、又はこれらの混合物を含んでもよい。他の非限定実施形態では、ＥＧＡＳ組成物が顆粒状の固体、粉末、又はこれらの混合物の形態である場合、少なくとも１つの封入コーティングは、低臨界溶液温度ポリマーを実質的に含まない。例えば、低臨界溶液温度ポリマーとしては、アルキル化及び／又はヒドロキシアルキル化多糖類、セルロースエーテル、ポリイソプロピルアクリルアミド（polyisoproplylacrylamine）、ポリイソプロピルアクリルアミドのコポリマー、及びこれらの混合物から成る群から選択されるものが挙げられる。
【００２０】
アルカリ性又は高度にアルカリ性の環境では、封入が、その放出前にガラスケア活性塩の化学的分解を低減する。封入されたガラスケア活性塩はまた、緩衝剤、漂白剤及びポリマーのような他の洗剤成分とガラスケア活性塩との相互作用を阻害することによって洗剤組成物に製品安定性を与える。例えば、ガラスケア活性塩は、洗剤組成物中の増粘剤（すなわち、ポリアクリレート）及び漂白剤と負の相互作用を行う。封入剤は、ガラスケア活性塩を囲む放出可能なコーティングを与えるように設計されるので、封入剤も放出機構も、ＥＧＡＳ組成物の種類又は形態について同じにする必要がない。それにもかかわらず、少なくとも１つの封入コーティングを含む封入されたガラスケア活性塩は、与えられる製品マトリックス（すなわち、液体、ゲル、及び／又は粉末）中で安定であるはずであり、さらに特定の活性物質放出機構によって誘引される際に少なくとも１つの封入コーティングの溶解及び／又は崩壊によってガラスケア活性塩の放出が可能になるように設計されるはずである。
【００２１】
次の参照文献は、種々広範の封入方法及び材料を開示する；米国特許第５，８２４，６３０号；米国特許第５，７８３，５４１号；米国特許第５，７７６，８７４号；米国特許第５，７４７，４３８号；米国特許第６，４６２，０１２号；米国特許第６，４４０，９１８号；米国特許第６，４３２，９０２号；ＰＣＴ国際公開特許ＷＯ０２０６０９９８Ａ２；ＰＣＴ国際公開特許ＷＯ０２０６０９８０Ａ２；ＰＣＴ国際公開特許ＷＯ０２０６０７５８Ａ１；ＰＣＴ国際公開特許ＷＯ０２４２４０８Ａ２；ＰＣＴ国際公開特許ＷＯ０２０８３７３Ａ１；ＰＣＴ国際公開特許ＷＯ０１８８０７６Ａ１；ＰＣＴ国際公開特許ＷＯ０１８７３６０Ａ３；ＰＣＴ国際公開特許ＷＯ０１８３６６８Ａ１；米国特許第６，２０７，６３２号；ＰＣＴ国際公開特許ＷＯ０１０２５２９Ａ１；ＰＣＴ国際公開特許ＷＯ００６３３４２Ａ１；ＰＣＴ国際公開特許ＷＯ００６３３４１Ａ１；ＰＣＴ国際公開特許ＷＯ００６３３３５Ａ１；ＰＣＴ国際公開特許ＷＯ００５５２８８Ａ１；ＰＣＴ国際公開特許ＷＯ００５０５５２Ａ１；ＰＣＴ国際公開特許ＷＯ００４１５２２Ａ３；米国特許第６，０８３，８９２号；ＰＣＴ国際公開特許ＷＯ００３４４２９Ａ１；ＰＣＴ国際公開特許ＷＯ００１４２９８Ａ１；ＰＣＴ国際公開特許ＷＯ０００６６８７Ａ１；ＰＣＴ国際公開特許ＷＯ９９１４３０３Ａ１；ＰＣＴ国際公開特許ＷＯ９９０３５１２Ａ２；ＰＣＴ国際公開特許ＷＯ９８１３４５１Ａ１；ＰＣＴ国際公開特許ＷＯ９８１３４４９Ａ１；ＰＣＴ国際公開特許ＷＯ９８１１１９０Ａ１；ＰＣＴ国際公開特許ＷＯ９８１１１８６Ａ１。
【００２２】
（活性物質放出機構）
封入されたガラスケア活性塩は、いかなるときでも、いかなる手段によっても、少なくとも１つの封入コーティングから放出されることができる。例えば、封入されたガラスケア活性塩は、洗浄が始まった後特定の時間に、特定のｐＨで、特定の洗浄液濃度で、又は特定の相若しくは活性が生じた後に放出されてもよい。ガラスケア活性塩の放出は、ガラスケア活性塩を囲む封入剤又はコーティングの溶解及び／又は崩壊によって達成されてもよい。ガラスケア活性塩の放出の遅延又は順序付けは、これらに限定されないが、時間、温度、硬度、界面張力、ｐＨ感応性、機械的作用、イオン強度、希釈、及びこれらの組み合わせを含む多数の放出機構によって誘引されることができる。
【００２３】
（Ａ．時間放出）
１つの非限定実施形態では、ガラスケア活性塩の放出機構は、時間放出によるものである。時間放出は、主に時間の関数として崩壊するコーティングに関連する。しかし、時間放出は、様々な主洗浄持続時間又は様々な洗浄温度を考慮しない。第２の外側コーティングを提供することで、ガラスケア活性塩の放出がさらに制御可能となる。
【００２４】
（Ｂ．温度放出）
別の非限定実施形態では、ガラスケア活性塩は、自動食器洗い操作に共通の特定の温度又は温度範囲によって放出される。温度放出機構は、温かい主洗浄の間は損なわれないままであるが、冷すすぎの間に崩壊するコーティングを含んでもよい。米国特許第４，７６５，９１６号は、すすぎサイクルにて放出するように設計された袋の感応性を増大させることによる、複数のフィルム（例えば、ＰＶＡフィルムの層及びセルロースエーテルフィルムの層を含む）の使用を開示する。セルロースエーテル（例えば、ＨＰＭＣ、ＨＢＭＣ、及びこれらの混合物）を含むフィルムは、温度が上昇するにつれて水溶性が減少し、温かい主洗浄の間よりもすすぎ水に対してより溶解性になる。低洗浄温度での早期の溶解のために、温められるまでガラスケア活性塩の暴露を妨げる第２の外側コーティングを必要とする場合がある。
【００２５】
（Ｃ．硬度放出）
別の非限定実施形態では、ガラスケア活性塩は、硬度の存在によって放出される。硬度放出機構は、ビルダー入り主洗浄では放出しないが、カルシウムを豊富に含むすすぎ水には放出するコーティングに関連する。軟水条件での低い崩壊性のために、ビルダーによって硬度が除去されるまでガラスケア活性塩の暴露を妨げる第２の外側コーティングを必要とする場合がある。
【００２６】
（Ｄ．界面張力放出）
別の非限定実施形態では、ガラスケア活性塩は、界面活性剤の欠如又はより高い界面張力によって放出される。界面張力放出の機構は、より高い界面張力のすすぎの間に界面活性剤の欠如を感知し、溶解するコーティングに関連する。前洗浄サイクルの間の崩壊のために、界面活性剤が溶解し終わるまでガラスケア活性塩の暴露を妨げる第２の外側コーティングを必要とする場合がある。
【００２７】
（Ｅ．機械的作用の放出）
別の非限定実施形態では、ガラスケア活性塩は、機械的作用によって放出される。機械的作用放出機構は、激しい水噴霧洗浄及び／又はすすぎサイクルの間に剪断するコーティングに関連する。すすぎサイクルの間の放出が所望される場合でも、少なくとも１つの封入コーティングが主洗浄の間に崩壊することがある。そのため、第２の外側コーティングを提供することで、主洗浄の間のガラスケア活性塩の暴露を妨げてもよい。
【００２８】
（Ｆ．ｐＨ感応性放出）
別の非限定実施形態では、ガラスケア活性塩は、より低いｐＨ又はｐＨ変化によって放出される。ｐＨ感応性放出機構は、例えばアルカリ性主洗浄中では不溶性のままであるが、より低いｐＨのすすぎサイクルの間に崩壊し得るコーティングに関連する。２つの種類のｐＨ感応性放出機構は、アミンプロトン化及びＰＶＡホウ酸フィルムである。
【００２９】
（１）アミンプロトン化によるｐＨ感応性放出
１つの非限定実施形態では、ガラスケア活性塩は、アミンプロトン化を行うｐＨ感応性材料を含む封入コーティングの溶解及び／又は崩壊によって放出されることができる。この分類のすすぎ感応性材料の背景にある共通の趣旨は、ｐＨ１０で脱プロトン化するが、ｐＨ９ではプロトン化する（故に可溶性である）、特定ｐＫａのアミン基を有する適切な化合物の選択である。
【００３０】
【化１】
2006505682.tif 000002
【００３１】
（ａ）ペンダントアミン基を有するポリマーによるｐＨ感応性放出
１つの非限定実施形態では、封入されたガラスケア活性塩は、ペンダントアミン基を有するポリマーを含むｐＨ感応性材料を含む封入コーティングの溶解及び／又は崩壊によって放出されることができる。ペンダントアミン基を有する大抵のポリマーは、ＰＶＡ又はポリカルボキシレート誘導体であり、エタノール溶液に適用される。日本特許番号４９０９８４０３及び同５００７７４０６には、ペンダントアミン基を有するポリマーは、カルボン酸を含有するコーティングにおいて開示される。後の日本特許番号６０１４１７０５、同６１０２８４４０、同６１０２８４４１、同６１０２８５９８、同６１０２８５９７、及び同６１０２８５９６には、同様のポリマーが、カルボン酸の非存在下で使用された。
【００３２】
市販のポリマーの例としては、ユドラギット（Eudragit）Ｅ（登録商標）及びＡＥＡサンキョー（AEA Sankyo）（登録商標）が挙げられる。ユドラギット（Eudragit）Ｅ（登録商標）は、ローム・ファーマ社（Roehm Pharma GmbH）（ドイツ、ダムスタッド（Darmstadt））からの非生分解性ポリメタクリレートポリマーである。ＡＥＡサンキョー（AEA Sankyo）（登録商標）は、サンキョー（Sankyo Company Limited,）（日本、東京）からのトリアジン誘導体を含有する合成ポリマーである。ペンダントアミン基を有するこれらのポリマーは、水に崩壊又は溶解するように配合される。
【００３３】
天然材料、キトサンも同様の特性を有することも開示された。
【００３４】
【化２】
2006505682.tif 000003
【００３５】
（ｂ）置換ポリアミン及びシッフ塩基材料
別の非限定実施形態では、封入されたガラスケア活性塩は、置換ポリアミン及びシッフ塩基材料を含むｐＨ感応性材料を含む封入コーティングの溶解及び／又は崩壊によって放出される。
【００３６】
最近の特許出願であるＰＣＴ国際公開特許ＷＯ００１７３１１には、ｐＨ感応性フィルム中の放出活性物質として、Ｎ１−ヒドロキシエチル−Ｎ１，Ｎ２−ジメチル−Ｎ３−ドデシル−ジエチレントリアミンのようなポリアミン又はトリアミンの使用が開示されている。ドデシル基の存在は、材料の被膜形成特性を向上させることが開示されている。
【００３７】
【化３】
2006505682.tif 000004
同様の結果は、ｐＨ感応性基としてイミン官能性を利用して得られる。ＰＣＴ国際公開特許ＷＯ００１７３１１には、芳香族アミン及び脂肪族アルデヒドから得られるシッフ塩基材料が特に好適であることが開示されている。
【００３８】
【化４】
2006505682.tif 000005
【００３９】
（２）ｐＨ及びボレート感応性−ＰＶＡ／ホウ酸フィルム
別の非限定実施形態では、封入されたガラスケア活性塩は、ＰＶＡ／ホウ酸フィルムを含むｐＨ感応性材料及びボレート感応性材料を含む封入コーティングの溶解及び／又は崩壊によって放出される。ボレートとＰＶＡとの錯体は、高ｐＨ及び高ボレート濃度で最も安定であり、すなわち（パーボレート又はその他のボレート源が存在する配合物において）前洗浄又は主洗浄とすすぎサイクルとを識別する２つの特性に感応性である。
【００４０】
ホウ酸は、洗浄開始時における安定性を確実にするためにフィルムに導入されることができる。
【００４１】
【化５】
2006505682.tif 000006
ＰＶＡ／ホウ酸フィルムは、米国特許第４，０８２，６７８号；及び同第４，８０１，６３６号及び同第４，９７２，０１７号に開示されている。
【００４２】
（Ｇ．イオン強度感応性放出）
別の非限定実施形態では、ガラスケア活性塩は、イオン強度又はイオン強度における変化によって放出される。イオン強度放出機構は、特定のイオンよりむしろ、溶液中の電解質の全体濃度に感応性であるコーティングに関連する。第２の外側コーティングは、洗浄開始時に早期の溶解を妨げるために提供されてもよい。
【００４３】
（１）イオン強度感応性ポリマー
（ａ）カリウムイオン感応性（κ−カラギーナンバイオポリマー（bipolymer））
別の非限定実施形態では、封入されたガラスケア活性塩は、κ−カラギーナンバイオポリマー（bipolymer）のようなイオン強度感応性ポリマーを含むイオン強度感応性材料を含む封入コーティングの溶解及び／又は崩壊によって放出される。バイオポリマーκ−カラギーナンは、カリウムイオンと安定な錯体を形成し、それによってこのイオン源を含有する配合物中ですすぎ感応性フィルムの一部として使用できる。例えば、ＰＣＴ国際公開特許ＷＯ００／０６６８３は、ポリマー−カリウム錯体の安定性が高温で改善され、少なくとも１つの封入コーティングが温かい主洗浄中で損なわれないことを確実にするのを助けることが開示されている。
【００４４】
【化６】
2006505682.tif 000007
【００４５】
（２）一般的なイオン強度感応性（希釈）放出機構
別の非限定実施形態では、ガラスケア活性塩は、希釈によって放出される。希釈放出機構は、少なくとも１つの封入コーティングの一般的なイオン強度感応性に基づくコーティングの溶解に関連する。英国特許番号ＧＢ１３９０５０３は、濃縮された電解質溶液にて安定であるが、希釈時にイオン強度が低下すると可溶性になるコーティング材料を開示する。記述した出願は、洗剤組成物の保存の間は損なわれないままであるが、製品を使用するときに放出される漂白剤粒子コーティングに関するものである。開示されるコーティングポリマーは、一般に特定イオン又は電解質に感応性の材料を含む。例えば、コーティングポリマーとしては、種々の天然ゴム、ペクチン、セルロースエーテル、ＰＶＡ、及びこれらの混合物が挙げられる。
【００４６】
（洗剤成分）
ＥＧＡＳ組成物は、従来の洗剤成分を含むことができる。ＥＧＡＳ組成物は、一般にビルダー入りであるが、それらはビルダーなしであってもよく、アルカリ性源、ビルダー、界面活性剤、泡抑制剤、酵素、増粘剤、漂白系（すなわち、漂白剤及び触媒）、溶媒、湿潤剤、又はこれらの混合物を含んでもよい１つ以上の洗剤成分を含むことができる。
１つの非限定実施形態では、ＥＧＡＳ組成物は、アルカリ性源、ビルダー、界面活性剤、泡抑制剤、酵素、増粘剤、漂白系、補助剤材料、又はこれらの混合物のうち少なくとも１つを含む洗剤成分と封入されたガラスケア活性塩とを含むことができる。
【００４７】
（アルカリ性源）
アルカリ性ｐＨを与えるために、ＥＧＡＳ組成物は、いずれかの好適な量で、いずれかの好適なアルカリ性源を含有していてもよい。ｐＨを、いずれかの好適なレベルに上昇してもよい。特定の実施形態では、アルカリ性源は、ＥＧＡＳ組成物のｐＨを１重量％水溶液中で少なくとも１０．０まで、又は約１０．５〜１４の範囲に上昇してもよい。こうしたｐＨは、化学物質が使用される場合の汚れ除去及び沈殿物の破壊に十分であり、汚れの迅速な分散をさらに促進する。アルカリ性源の一般的特性は、相当量の水溶解性を有する化学組成物のみに限定される。アルカリ性源としては、アルカリ金属のケイ酸塩、水酸化物、リン酸塩、炭酸塩、及びこれらの組み合わせが挙げられるが、これらに限定されない。アルカリ性源には、水酸化ナトリウム、水酸化カリウム、水酸化リチウム、及びこれらの組み合わせを含むアルカリ金属水酸化物を挙げることができる。
【００４８】
これらの水酸化物種の混合物もまた用いることができる。アルカリ金属のケイ酸塩も、アルカリ性源として作用し得る。有用なアルカリ金属ケイ酸塩は、一般式（Ｍ2Ｏ：ＳｉＯ2）に相当し、その際Ｍ2Ｏの各モルについて１モル未満のＳｉＯ2が存在する。ＳｉＯ2の各モルについて、約０．２〜約１００モルのＭ2Ｏであることができ、その際Ｍはナトリウム及び／又はカリウムを含む。他のアルカリ性源としては、アルカリ金属のオルトケイ酸塩、アルカリ金属のメタケイ酸塩、及びこれらの組み合わせを挙げることができるが、これらに限定されない。
【００４９】
１つの非限定実施形態では、アルカリ性源は、炭酸ナトリウム、炭酸カリウム、ナトリウム及び／若しくはカリウムの重炭酸塩、又はセスキ炭酸塩、ケイ酸塩、並びにこれらの混合物を含むことができるアルカリ金属炭酸塩であってもよい。別の非限定実施形態では、アルカリ性源は、炭酸ナトリウム、炭酸カリウム、及びこれらの混合物を含むことができる炭酸塩であってもよい。アルカリ性源は、ＥＧＡＳ組成物において、約０重量％〜約７０重量％、又は約５重量％〜約４０重量％、又は約１０重量％〜約３０重量％の濃度で使用されることができる。
【００５０】
（ビルダー）
ＥＧＡＳ組成物に、いずれかの好適な量で、いずれかの好適なビルダーを提供してもよい。ＥＧＡＳ組成物に使用するのに好適なビルダーは、組成物の約１重量％〜約８０重量％、又は約１０重量％〜約７０重量％、又は約２０重量％〜約６０重量％の濃度で存在してもよい。
【００５１】
例えば、使用に好適なビルダーは以下のものが挙げられるが、これらに限定されない：非晶質ケイ酸ナトリウム、アルミノケイ酸塩、マグネシオアルミノケイ酸塩（magnesioaluminosiliates）、アルカリ金属、リン酸塩、ポリリン酸塩（トリポリリン酸塩、ピロリン酸塩、及びガラス状のメタリン酸塩ポリマーで例示される）のアンモニウム塩及びアルカノールアンモニウム塩、ホスホン酸塩、フィチン酸、ケイ酸塩、炭酸塩（重炭酸塩、及びセスキ炭酸塩を含む）、硫酸塩、クエン酸塩、ゼオライト及び／又は層状ケイ酸塩、アルカリ土類及びアルカリ金属炭酸塩、ポリカルボン酸塩化合物、エーテルヒドロキシポリカルボン酸塩、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の様々なアルカリ金属、アンモニウム塩及び置換アンモニウム塩、並びにメリト酸、コハク酸、オキシジコハク酸、ポリマレイン酸、ベンゼン−１，３，５−トリカルボン酸、カルボキシメチルオキシコハク酸のようなポリカルボン酸塩、及びそれらの可溶性塩、並びにクエン酸及びそれらの可溶性塩（特にナトリウム塩）のようなクエン酸ビルダー。
【００５２】
１つの非限定実施形態では、ビルダーは、リン酸塩、リン酸塩オリゴマー又はポリマー及びそれらの塩、ケイ酸塩、ケイ酸塩オリゴマー又はポリマー及びそれらの塩、アルミノケイ酸塩、マグネシオアルミノケイ酸塩（magnesioaluminosiliates）、クエン酸塩、並びにこれらの混合物を含んでもよい。
【００５３】
（酵素）
ＥＧＡＳ組成物に、いずれかの好適な量で、いずれかの好適な酵素を提供してもよい。使用に好適な酵素としては、加水分解酵素、例えばプロテアーゼ、アミラーゼ及びリパーゼが挙げられるが、これらに限定されない。改善された漂白剤適合性を有するアミラーゼ及び／又はプロテアーゼは、市販されている。
【００５４】
ＥＧＡＳ組成物は、１つ以上の酵素を含んでもよい。一般には、本明細書に組み込まれる酵素には、プロテアーゼ、アミラーゼ、リパーゼ、セルラーゼ、ペルオキシダーゼ、及びこれらの混合物が挙げられ得る。ただ１つの酵素を使用する場合、それはデンプン分解酵素、タンパク質分解酵素及びデンプン分解酵素の混合物、並びにこれらの組み合わせであってもよい。他の種類の酵素も含まれてもよい。酵素は、植物、動物、細菌、真菌及び酵母起源のようないかなる好適な起源であってもよい。しかしながら、それらの選択は、ｐＨ活性及び／又は安定性の最適条件、熱安定性、活性洗剤に対する安定性などのようないくつかの要因によって決定される。細菌性アミラーゼ及びプロテアーゼ、並びに真菌性セルラーゼのような、細菌性又は真菌性の酵素も使用されてもよい。
【００５５】
酵素は、「洗浄−有効量」を提供するのに十分な濃度で本発明の洗剤組成物中に組み込まれてもよい。「洗浄−有効量」という用語は、ガラス製品などのような基材に、洗浄、染みの除去、又は汚れの除去の効果を生み出すことができるいずれかの量を指す。酵素は触媒作用の物質であるため、こうした量は非常に少なくてもよい。
【００５６】
現在市販の製剤の実際面では、典型的な量は、組成物のグラムあたりの酵素有効分は、重量で、約５ｍｇまでであり、より典型的には約０．０１ｍｇ〜約３ｍｇである。プロテアーゼ酵素は、通常は組成物のグラムあたり０．００５〜０．１アンソン単位（ＡＵ）の活性を提供するのに十分な濃度で、又は市販の酵素製剤の０．０１重量％〜１重量％の濃度で、こうした市販製剤中に存在する。
【００５７】
１つの非限定実施形態では、ＥＧＡＳ組成物は、組成物のグラムあたり重量で約５ｍｇまでの酵素有効分を含み、ここで、酵素は、プロテアーゼ、アミラーゼ、リパーゼ、セルラーゼ、ペルオキシダーゼ、及びこれらの混合物を、組成物のグラムあたり０．００５〜０．１アンソン単位（ＡＵ）の活性を提供するのに十分な濃度で、又は市販の酵素製剤の０．０１重量％〜１重量％の濃度で含んでもよい。
【００５８】
酵素含有ＥＧＡＳ組成物、特に液体ゲル及びゲル組成物は、約０．０００１重量％〜約１０重量％、又は約０．００５重量％〜約８重量％、又は約０．０１重量％〜約６重量％の酵素安定化系を含んでもよい。酵素安定化系は、洗浄性酵素と適合性があれば、いかなる安定化系であってもよい。こうした安定化系は、カルシウムイオン、ホウ酸、プロピレングリコール、短鎖カルボン酸、ボロン酸、及びこれらの混合物を含むことができる。
【００５９】
自動食器洗いのために、送達される非触媒的活性物質の総量を最小にし、それにより染み付き／被膜形成の結果を改善するために、市販製剤の酵素有効分の含量を高めることが望ましい場合がある。
別の非限定実施形態では、ＥＧＡＳ組成物は、全組成物の約０．０００１重量％〜約１０重量％の酵素安定化系を含む。
【００６０】
（界面活性剤）
ＥＧＡＳ組成物に、いずれかの好適な量で、いずれかの好適な界面活性剤を提供してもよい。自動食器洗いに用いるＥＧＡＳ組成物及び方法において、洗剤界面活性剤は、それ自体でも又はその他の成分（すなわち泡抑制剤）との組み合わせにおいても、低発泡性界面活性剤であってもよい。食器洗いの前に汚れたガラス製品を洗浄するのに用いる本発明の組成物及び方法において、洗剤界面活性剤は、直接適用では発泡性界面活性剤であるが、自動食器洗いでの使用では低発泡性であってもよい。
【００６１】
使用に好適な界面活性剤としては、アニオン性界面活性剤、例えばアルキルサルフェート、アルキルエーテルサルフェート、アルキルベンゼンスルホネート、アルキルグリセリルスルホネート、アルキル及びアルケニルスルホネート、アルキルエトキシカルボキシレート、Ｎ−アシルサルコシネート、Ｎ−アシルタウレート及びアルキルサクシネート及びスルホサクシネート（ここで、前記アルキル、アルケニル若しくはアシル部分は、Ｃ5〜Ｃ20、又はＣ10〜Ｃ18直鎖若しくは分枝鎖である）；カチオン性界面活性剤、例えば塩素エステル（米国特許第Ａ−４２２８０４２号、米国特許第Ａ−４２３９６６０号及び米国特許第Ａ−４２６０５２９）及びモノＣ6〜Ｃ16Ｎ−アルキル又はアルケニルアンモニウム界面活性剤（ここで、前記残存Ｎ部分は、メチル、ヒドロキシエチル又はヒドロキシプロピル基で置換される）；低及び高曇点非イオン性界面活性剤、並びにこれらの混合物、例えば非イオン性アルコキシル化界面活性剤（特に、Ｃ6〜Ｃ18一級アルコールから得られるエトキシレート）、エトキシ化−プロポキシル化アルコール（例えば、オリン社（Olin Corporation）のポリタージェント（Poly-Tergent）（登録商標）ＳＬＦ１８）、エポキシ末端保護されたポリ（オキシアルキル化）アルコール（例えば、オリン社（Olin Corporation）のポリタージェント（Poly-Tergent）（登録商標）ＳＬＦ１８Ｂ−ＰＣＴ国際公開特許ＷＯＡ−９４／２２８００を参照）、エーテル末端保護されたポリ（オキシアルキル化）アルコール界面活性剤及びブロックポリオキシエチレン−ポリオキシプロピレンポリマー化合物、例えばＢＡＳＦ−ワイアンドット（BASF-Wyandotte Corp.）（ミシガン州ワイアンドット（Wyandotte））による、プルロニック（PLURONIC）（登録商標）、リバースド・プルッロニック（REVERSED PLURONIC）（登録商標）、及びテトロニック（TETRONIC）（登録商標）；両性界面活性剤、例えばＣ１２〜Ｃ２０アルキルアミンオキシド（例えば、使用に好適なアミンオキシドとしては、ラウリルジメチルアミンオキシド及びヘキサデシルジメチルアミンオキシドが挙げられるが、これらに限定されない）、及びアルキルアンホカルボン酸界面活性剤、例えばミラノール（Miranol）（商標）Ｃ２Ｍ；及び双極性界面活性剤、例えばベタイン及びスルタイン；並びにこれらの混合物が挙げられるが、これらに限定されない。使用に好適な界面活性剤は、例えば米国特許第Ａ−３，９２９，６７８号、米国特許第Ａ−４，２５９，２１７号、ＥＰ特許番号Ａ−０４１４  ５４９、ＰＣＴ国際公開特許ＷＯＡ−９３／０８８７６及びＰＣＴ国際公開特許ＷＯＡ−９３／０８８７４に開示されている。
【００６２】
界面活性剤は、いずれかの濃度で存在してもよい。一部の実施形態では、界面活性剤は、組成物の約０重量％〜約５０重量％、又は約０．５重量％〜約１０重量％、又は約１重量％〜約５重量％で存在する。１つの非限定実施形態では、ＥＧＡＳ組成物は、約０重量％〜約３０重量％の界面活性剤を含む。界面活性剤は、アニオン性界面活性剤、カチオン性界面活性剤、非イオン性界面活性剤、両性界面活性剤、両極性界面活性剤、双極性界面活性剤、及びこれらの混合物を含んでもよい。別の非限定実施形態では、界面活性剤は、約０．２重量％〜約３０重量％の濃度で少なくとも１つのアニオン性及び非イオン性界面活性剤を含む。
【００６３】
（泡抑制剤）
ＥＧＡＳ組成物に、いずれかの好適な量で、いずれかの好適な泡抑制剤を提供してもよい。使用に好適な泡抑制剤は低発泡性とすることができ、低曇点非イオン性界面活性剤及びより高発泡性界面活性剤と低曇点非イオン性界面活性剤（この場合、泡抑制剤として働く）との混合物が含まれる（ＰＣＴ国際公開特許ＷＯ９３／０８８７６及びＥＰ特許番号Ａ−０７０５３２４を参照のこと）。
【００６４】
泡抑制剤として作用する典型的な低曇点非イオン性界面活性剤には、非イオン性アルコキシル化界面活性剤、特に一級アルコールから得られるエトキシレート、及びポリオキシプロピレン／ポリオキシエチレン／ポリオキシプロピレン（ＰＯ／ＥＯ／ＰＯ）リバースブロックポリマーが挙げられる。また、このような低曇点の非イオン性界面活性剤には、例えば、エトキシル化−プロポキシル化アルコール（例えば、オリン社（Olin Corporation）のポリ−タージェント（POLY-TERGENT）（登録商標）ＳＬＦ１８）及びエポキシ末端処理ポリ（オキシアルキル化）アルコール（例えば、米国特許第Ａ−５，５７６，２８１号に記述されているようなオリン社（Olin Corporation）のポリ−タージェント（POLY-TERGENT）（登録商標）ＳＬＦ１８Ｂシリーズの非イオン性物質）が挙げられる。
【００６５】
使用に好適な低曇点界面活性剤は、次式を有するエーテル末端保護ポリ（オキシアルキル化）泡抑制剤であり：
【００６６】
【化７】
2006505682.tif 000008
式中、Ｒ1は平均約７〜約１２個の炭素原子を有する直鎖アルキル炭化水素であり、Ｒ2は約１〜約４個の炭素原子の直鎖アルキル炭化水素であり、Ｒ3は約１〜約４個の炭素原子の直鎖アルキル炭化水素であり、ｘは約１〜約６の整数であり、ｙは約４〜約１５の整数であり、ｚは約４〜約２５の整数である。
【００６７】
その他の低曇点非イオン性界面活性剤は、次式を有するエーテル末端保護ポリ（オキシアルキル化）であり：
ＲIＯ（ＲIIＯ）nＣＨ（ＣＨ3）ＯＲIII
式中、ＲIは、約７〜約１２個の炭素原子を有する直鎖又は分枝鎖、飽和又は不飽和、置換型又は非置換型、脂肪族又は芳香族の炭化水素ラジカルから成る群から選択され；ＲIIは同じものでも異なるものでもよく、いずれかの所与の分子における分枝鎖又は直鎖Ｃ2〜Ｃ7アルキレンから成る群から独立して選択され；ｎは１〜約３０の数であり；ＲIIIは以下のものから成る群から選択される：
（ｉ）１〜３個のヘテロ原子を含有する４〜８員の置換型又は非置換型複素環；及び
（ｉｉ）約１〜約３０個の炭素原子を有する直鎖又は分枝鎖、飽和又は不飽和、置換型又は非置換型、環式又は非環式の脂肪族又は芳香族の炭化水素ラジカル；
ただし、Ｒ2が（ｉｉ）である場合：（Ａ）Ｒ1の少なくとも１つがＣ2〜Ｃ3アルキレン以外のものであるか；又は（Ｂ）Ｒ2が６〜３０個の炭素原子を有することのどちらかであることを条件とし、さらにＲ2が８〜１８個の炭素原子を有する場合、ＲがＣ1〜Ｃ5アルキル以外のものであることを条件とする。
【００６８】
泡抑制剤は、いずれかの濃度で存在してもよい。一部の実施形態では、泡抑制剤は、組成物の約０重量％〜約３０重量％、又は約０．２重量％〜約３０重量％、又は約０．５重量％〜約１０重量％、又は約１重量％〜約５重量％で存在する。１つの非限定実施形態では、ＥＧＡＳ組成物は、組成物の約０．２重量％〜約３０重量％の低起泡性泡抑制剤を含む。
【００６９】
（漂白系）
ＥＧＡＳ組成物に、いずれかの好適な量で、いずれかの好適な漂白剤又は漂白系を提供してもよい。使用に好適な漂白剤としては、塩素及び酸素漂白剤が挙げられるが、これらに限定されない。漂白剤としては、無機過水和物塩（例えば、過ホウ酸ナトリウム一水和物及び四水和物、並びに過炭酸ナトリウム、英国特許ＧＢ−Ａ−１４６６７９９に開示されるように、サルフェート／カーボネートコーティングに制御された放出速度を提供するために任意にコーティングされていてもよい）、予備形成された有機過オキソ酸、並びにこれらの混合物が挙げられるが、これらに限定されない。漂白系は、塩素漂白剤、酸素漂白剤、有機過酸漂白剤前駆体、遷移金属含有漂白触媒（例えば、マンガン又はコバルトなど）、漂白活性化剤、及びこれらの混合物を含んでもよい。１つの非限定実施形態では、漂白系は、塩素漂白剤、酸素漂白剤、及びこれらの混合物を含む漂白剤；有機過酸漂白剤前駆体；遷移金属含有漂白触媒；漂白活性化剤；又はこれらの組み合わせを含む。
【００７０】
過酸素漂白化合物は、過ホウ酸ナトリウム一水和物、過ホウ酸ナトリウム四水和物、ピロリン酸ナトリウムペルオキシ水和物（peroxyhydrate）、尿素ペルオキシ水和物、過炭酸ナトリウム、過酸化ナトリウム、及びこれらの混合物を含むいずれかの過酸化物源であることができる。別の非限定実施形態では、過酸素漂白化合物は、過ホウ酸ナトリウム一水和物、過ホウ酸ナトリウム四水和物、過炭酸ナトリウム、及びこれらの混合物を含んでもよい。
【００７１】
漂白剤又は漂白系は、いずれかの濃度で存在してもよい。一部の実施形態では、漂白剤又は漂白系は、組成物の約０重量％〜約３０重量％、又は約１重量％〜約１５重量％、又は約１重量％〜約１０重量％、又は約２重量％〜約６重量％で存在する。別の非限定実施形態では、漂白剤又は漂白系は、組成物の約０重量％〜約１５重量％の量で存在する。
【００７２】
使用に好適な漂白触媒としては、０重量％〜約１０重量％、又は０．１重量％〜１．０重量の濃度での、マンガントリアザシクロノナン及び関連錯体（米国特許第Ａ−４２４６６１２号、米国特許第Ａ−５２２７０８４号）；Ｃｏ、Ｃｕ、Ｍｎ及びＦｅビスピリジルアミン並びに関連錯体（米国特許第Ａ−５１１４６１１号）；並びにペンタアミンアセテートコバルト（ＩＩＩ）及び関連錯体（米国特許第Ａ−４８１０４１０号）が挙げられるが、これらに限定されない。
【００７３】
使用に好適な典型的な漂白活性化剤としては、約０重量％〜約１０重量％；又は０．１重量％〜１．０重量％の濃度での、過オキソ酸漂白剤前駆体、過安息香酸及び置換過安息香酸の前駆体；カチオン性過オキソ酸前駆体；過酢酸前駆体、例えばＴＡＥＤ、アセトキシベンゼンスルホン酸ナトリウム及びペンタアセチルグルコース；過ノナン酸前駆体、例えば３，５，５−トリメチルヘキサノイルオキシベンゼンスルホン酸ナトリウム（イソ−ＮＯＢＳ）及びノナノイルオキシベンゼンスルホン酸ナトリウム（ＮＯＢＳ）；アミド置換されたアルキル過オキソ酸前駆体（ＥＰ−Ａ−０１７０３８６）；並びにベンゾオキサジン過オキソ酸前駆体（ＥＰ−Ａ−０３３２２９４及びＥＰ−Ａ−０４８２８０７）が挙げられるが、これらに限定されない。
【００７４】
その他の漂白活性化剤は、置換ベンゾイルカプロラクタム漂白活性化剤、並びに漂白系及び洗剤におけるそれらの使用を含む。置換ベンゾイルカプロラクタムは次式を有する：
【００７５】
【化８】
2006505682.tif 000009
式中、Ｒ1、Ｒ2、Ｒ3、Ｒ4、及びＲ5は、１〜１２個の炭素原子、又は１〜６個の炭素原子を含有し、Ｈ、ハロゲン、アルキル、アルコキシ、アルコキシアリール、アルカリール、アルカリールオキシ、及び次の構造を有するものから成る群から選択される：
【００７６】
【化９】
2006505682.tif 000010
式中、Ｒ6は、Ｈ、アルキル、アルカリール、アルコキシ、アルコキシアリール、アルカリールオキシ、及びアミノアルキルから成る群から選択され；ＸはＯ、ＮＨ、又はＮＲ7であり、その際、Ｒ7はＨ、又はＣ1〜Ｃ4アルキル基であり；Ｒ8は３〜１１個の炭素原子を含有するアルキル、シクロアルキル、又はアリール基である；ただし、少なくとも１つのＲ置換基はＨでないことを条件とする。
【００７７】
非限定的な実施形態では、Ｒ1、Ｒ2、Ｒ3、及びＲ4はＨであり、Ｒ5はメチル、メトキシ、エチル、エトキシ、プロピル、プロポキシ、イソプロピル、イソプロポキシ、ブチル、ｔ−ブチル、ブトキシ、ｔ−ブトキシ、ペンチル、ペントキシ、ヘキシル、ヘキソキシ、Ｃｌ、及びＮＯ3から成る群から選択される。別の非限定実施形態では、Ｒ1、Ｒ2、Ｒ3はＨであり、Ｒ4及びＲ5はメチル、メトキシ、及びＣｌから成る群から選択される。
【００７８】
１つの非限定的な実施形態では、漂白系はａ）水溶液中に過酸化水素を生成することができる約０重量％〜約１５重量％、又は約２重量％〜約６重量％の過酸素漂白化合物；ｂ）約０重量％〜約１．０重量％の、次式を有する１以上の置換ベンゾイルカプロラクタム漂白活性化剤を含み：
【００７９】
【化１０】
2006505682.tif 000011
式中、Ｒ1、Ｒ2、Ｒ3、Ｒ4、及びＲ5は上記で定義した通りである。
【００８０】
別の非限定実施形態では、漂白系は、漂白剤、漂白触媒、漂白活性化剤、及びこれらの混合物を含む。さらに別の非限定実施形態では、ＥＧＡＳ組成物は、組成物全体の約０重量％〜約１５重量％、又は約１重量％〜約１０重量％、又は約２重量％〜約６重量％の量で漂白系を含む。
【００８１】
（添加物質）
ＥＧＡＳ組成物に、いずれかの好適な量で、いずれかの好適な補助剤材料を提供してもよい。１つの非限定実施形態では、ＥＧＡＳ組成物は、ナトリウム系抗腐食剤（例えば、ケイ酸ナトリウム）、向水性物質（ヒドロトロープ）（例えば、ナトリウムクメンサルフェート）、崩壊剤、着色剤（すなわち、染料、カラースペックル（color speckles）、及び顔料）、再付着防止剤、フリーラジカル阻害物質、ポリマー、汚れ放出剤、被膜形成防止剤、抗染み付き剤（anti-spotting agents）、向水性物質（ヒドロトロープ）、殺菌剤、殺真菌剤、漂白剤スカベンジャー、一般的な食器ケア剤、及びこれらの混合物を含む１つ以上の補助剤材料を含むことができる。
【００８２】
（製品形態）
ＥＧＡＳ組成物は、種々の製品形態で使用されてもよく、その形態としては、液体、顆粒状固体、粉末、液体ゲル、ゲル、ペースト、クリーム、及びこれらの組み合わせが挙げられるが、これらに限定されない。１つの非限定実施形態では、ＥＧＡＳ組成物は、ゲル凝集することなく、洗浄に有効量の封入されたガラスケア活性塩を送達するために、ゲルとして配合されてもよい。別の非限定実施形態では、封入されたガラスケア活性塩を含むＥＧＡＳ組成物は、すすぎサイクルまでガラスケア活性塩の放出を遅延するように設計されることができる。
【００８３】
いずれかの物理的形態、例えば、粉末、液体、ペースト、クリーム、ゲル、液体ゲル、及びこれらの組み合わせのＥＧＡＳ組成物は、水溶性又は水分散性袋、及びこれらの組み合わせに包装されて、ガラスケア活性塩を送達してもよい。ＥＧＡＳ組成物は、単回用量の形態であることができ、それが、自動食器洗い器具の洗浄サイクル及び／又はすすぎサイクルの間に、ガラスケア活性塩の制御された放出（例えば、遅延された、継続させた、誘引された、又は持続放出）を可能にする。
【００８４】
単一及び複数区画の水溶性袋は、使用に好適な場合がある。追加及び複数区画の製品の場合、ＥＧＡＳ組成物は、同じ物理形態である必要はない。別の非限定実施形態では、ＥＧＡＳ組成物は、非封入されたガラスケア活性塩／漂白剤相互作用を有する洗剤組成物に共通の関連する染み除去の欠点を持たずに、漂白系を使用するために複数区画の袋にて配合されてもよい。
【００８５】
さらに別の実施形態では、使用に好適なＥＧＡＳ組成物は、好適ないかなる装置、例えば、ボトル（ポンプ付きボトル、スクイーズボトル）、ペーストディスペンサー、カプセル、複数区画のボトル、複数区画のカプセル、並びに単一及び複数区画の水溶性袋、並びにこれらの組み合わせからも分配することができる。
別の非限定実施形態では、ＥＧＡＳ組成物は、単回用量の形態であることができ、それが、自動食器洗い器具の洗浄サイクル及び／又はすすぎサイクルの間に、ガラスケア活性塩の制御された放出（例えば、遅延された、継続させた、誘引された、又は持続放出）を可能にする。単回用量形態では、ＥＧＡＳ組成物は、顆粒状固体、粉末、液体、液体−ゲル、ゲル、ペースト、クリーム、又はこれらの組み合わせであってもよく、錠剤として提供されてもよく、単一又は複数区画の水溶性袋又はこれらの組み合わせに含有されてもよい。
【００８６】
（使用方法）
１つの実施形態では、汚れたガラス製品を洗浄する方法は、（ａ）アルミニウム、亜鉛、マグネシウム、カルシウム、ランタン、スズ、ガリウム、ストロンチウム、チタン、又はこれらの混合物のうち少なくとも１つを含む封入されたガラスケア活性塩；（ｂ）アルカリ性源、ビルダー、界面活性剤、泡抑制剤、酵素、増粘剤、漂白系、溶媒、湿潤剤、及びこれらの混合物から成る群から選択される少なくとも１つの洗剤成分；（ｃ）任意の補助剤材料；並びに（ｄ）残部の水を含むＥＧＡＳ組成物を用いて自動食器洗い機でガラス製品を洗浄することを含んでもよい。自動食器洗い洗剤組成物は、いずれの形態で存在してもよく、その形態としては、液体、液体ゲル、ゲル、ペースト、クリーム、顆粒状固体、粉末、又はこれらの組み合わせが挙げられるが、これらに限定されない。ＥＧＡＳ組成物は、洗浄サイクル及び／又はすすぎサイクルに約０．１ｍＭ〜約１０ｍＭ、約０．５ｍＭ〜約５ｍＭ、又は約１ｍＭ〜２ｍＭのガラスケア活性塩又は錯体を送達してもよい。ガラスケア活性塩は、コア粒子、コア粒子の集合体、プリル、粒塊、若しくはこれらの組み合わせの形態であってもよく、非破砕性、水溶性若しくは水分散性であり、又は約４０〜約５０℃の温度範囲で溶解、分散、若しくは溶融する。
【００８７】
（キット）
１つの実施形態では、キットは、（ａ）包装と、（ｂ）使用説明書と、（ｃ）（ｉ）アルミニウム、亜鉛、マグネシウム、カルシウム、ランタン、スズ、ガリウム、ストロンチウム、チタン、又はこれらの混合物のうち少なくとも１つを含む封入されたガラスケア活性塩；（ｉｉ）アルカリ性源、ビルダー、界面活性剤、酵素、増粘剤、漂白系、溶媒、湿潤剤、及びこれらの混合物から成る群から選択される少なくとも１つの洗剤成分；（ｉｉｉ）任意の補助剤材料；並びに（ｉｖ）残部の水を含む、自動食器洗いに使用するのに好適なＥＧＡＳ組成物とを含んでもよい。ＥＧＡＳ組成物は、洗浄サイクル及び／又はすすぎサイクルに約０．１ｍＭ〜約１０ｍＭ、約０．５ｍＭ〜約５ｍＭ、又は約１ｍＭ〜２ｍＭのガラスケア活性塩錯体を送達してもよい。ガラスケア活性塩は、コア粒子、コア粒子の集合体、プリル、粒塊、若しくはこれらの組み合わせの形態であってもよく、非破砕性、水溶性若しくは水分散性であり、又は約４０℃〜約５０℃の温度範囲で溶解、分散、若しくは溶融する。ＥＧＡＳ組成物は、顆粒状粉末、液体、液体−ゲル、及び／又はゲルであってもよく、錠剤として提供されてもよく、単一又は複数区画の水溶性袋又はこれらの組み合わせに含有されてもよい。
【００８８】
当業者が本発明を作製及び使用できるように、また特定の用途及びその要件との関連において、上述の説明を提供することができる。実施形態の種々の改良は、当業者には容易に明らかであり、本明細書で定義された一般的原則は、本発明の主旨及び範囲を逸脱することなく他の実施形態及び用途に適用され得る。本発明の可能な実施形態は、示される実施形態に限定されることを意図しない。故に、以下に続く特定の実施形態は、本発明の作用を例示することのみを意図し、制限することを意図しないので、本発明は、本明細書に開示される原則、特徴、及び教示と一致する最も広い範囲と一致する。
【００８９】
本明細書全体にわたって記載されるあらゆる最大数値限定は、それよりも低いあらゆる数値限定も本明細書に明確に記載されたものとして含まれることを理解されたい。本明細書全体にわたって記載されるあらゆる最小数値限定は、それより大きいあらゆる数値限定も、本明細書に明確に記載されたものとして包含する。本明細書全体にわたって記載されるあらゆる数値範囲は、より広い数値範囲内にあるあらゆるより狭い数値範囲も、すべて本明細書に明確に記載されたものとして包含する。
関連部分において引用されたすべての文書は、本明細書に参考として組み込まれるものの、いずれの文書の引用も、本発明に関する先行技術となり得ると認めるものとして解釈されるべきではない。
【国際調査報告】
2006505682.tif 000012
2006505682.tif 000013